(57)【要約】【課題】本発明は、多種の保温対象物に対して、保温対象物が収容された収容容器を保温することのでき、また安価で十分な保温時間を確保することのできる保温具、保温具セット及び保温方法を提供する。【解決手段】保温具セット１は、精液を収容する収容容器であるシリンジ１０と、シリンジ１０を入れる袋部２２と、蓄熱材２５が充填される蓄熱領域２６を複数有するとともに袋部２２が一体に設けられている蓄熱部２１と、からなるシート状の保温具２０と、からなる。【選択図】  図１
2020132208.tif 000002
【特許請求の範囲】
【請求項１】
保温対象物が収容された収容容器を保温するためのシート状の保温具であって、
前記収容容器を入れる袋部と、
蓄熱材が充填される蓄熱領域を複数有し、前記袋部を包み込むための蓄熱部と、
からなることを特徴とする保温具。
【請求項２】
前記袋部は、前記蓄熱部と一体に設けられていることを特徴とする請求項１に記載の保温具。
【請求項３】
前記蓄熱部には、該蓄熱部の温度を確認する温度確認手段が設けられていることを特徴とする請求項１又は２に記載の保温具。
【請求項４】
前記袋部は、前記蓄熱部を袋状にして形成されており、
前記袋部の形状を保持する保持具を更に備えることを特徴とする請求項１に記載の保温具。
【請求項５】
前記袋部の底部に蓄熱領域が位置することを特徴とする請求項４に記載の保温具。
【請求項６】
保温対象物を収容する収容容器と、
前記収容容器を入れる袋部と、蓄熱材が充填される蓄熱領域を複数有するとともに前記袋部が一体に設けられている蓄熱部と、からなるシート状の保温具と、
からなる保温具セット。
【請求項７】
前記収容容器は、シリンジであることを特徴とする請求項６に記載の保温具セット。
【請求項８】
保温対象物が収容された収容容器を入れる袋部と、蓄熱材が充填される蓄熱領域を複数有し前記袋部を覆う蓄熱部と、からなる保温具を用いて前記収容容器を保温する工程と、
前記保温具により保温された前記収容容器を更に外装容器に収納する工程と、
からなる保温方法。
【発明の詳細な説明】
【技術分野】
【０００１】
本発明は、精液や血液のように運搬時に一定の温度に保っておく必要がある検体や適温で使用したい液体ミルク等、これらの保温対象物が収容された収容容器を保温しておくための保温具、保温具セット及び保温方法に関する。
【背景技術】
【０００２】
日常の中で、収容容器に収容されている物を一定の温度に保っておきたい、というようなことは多い。例えば、現在日本で年間４０万件以上実施されている体外受精では、その半数程度は、自宅で精液を採取してクリニックに運ばれているとみられている。
【０００３】
射精された人間の精子は、暑いと運動能力が低下し、寒いと死んでしまう精子が増えてしまうため、２０〜２５℃という適切な温度環境で運搬することが望ましい。従って、適切な温度環境で運搬することが、今後も増加が予想される体外受精の治療成績向上につながることになる。
【０００４】
そして、精液を運搬する際に使用されるものとして、特許文献１のような精液保存用容器や、特許文献２のような収容容器や、非特許文献１のようなプラスチック製の容器や、非特許文献２のようなステンレス製の容器が知られている。
【０００５】
また、例えば、近く日本でも解禁されるものに液体ミルクがある。この液体ミルクは、封を開ければ常温のまま乳児に飲ませることができるため、現在日本で主流の粉ミルクよりも手軽であることから普及することが予想される。この液体ミルクは、海外では主流であり、海外では常温で使用することに対する不安は聞かれない。
【０００６】
しかし、今後の普及が予想される日本では、常温で乳児に飲ませることに対する不安が予想される。何故ならば、日本で主流の粉ミルクは、お湯で溶かした後、４０℃程度の適温まで冷まして使用されていることから、粉ミルクに慣れている母親としては、常温で飲ませた場合に、「乳児がお腹をこわしてしまわないか。」、「母乳と並行している場合に乳児が飲みたがらないのではないか。」というような不安が生じてしまうことが予想される。
【先行技術文献】
【特許文献】
【０００７】
【特許文献１】国際公開第２０１８／０６６５１４号
【特許文献２】特開平８−３８４８４号公報
【非特許文献】
【０００８】
【非特許文献１】株式会社ナカメディカル、70cc採精用コンテナ、［平成30年12月25日検索］、インターネット〈URL：http://www.nakamedical.co.jp/pdf_img/201409/ivf/cata_nm4370s.pdf〉
【非特許文献２】株式会社ＴＥＮＧＡヘルスケア、SEED  POD、2018年12月17日、［平成30年12月25日検索］、インターネット〈URL：https://files.value-press.com/czMjYXJ0aWNsZSM1NDczMiMyMTMwNjUjNTQ3MzJfTnJwSlV5bmZMTC5wZGY.pdf〉
【発明の概要】
【発明が解決しようとする課題】
【０００９】
特許文献１や非特許文献１のようなプラスチック製の容器では、精液を適切な温度環境で搬送することは難しく、温度を保つための対策を別にとる必要がある。
【００１０】
また、特許文献２のように注射器（シリンジ）を堅牢な樹脂製容器に収容する構成は、高価なものになってしまう。一般的に精液を搬送するために使用する道具は、使用者の心理的なことを考慮すると、使い捨てであることが望ましい。従って、使用する道具はできるだけ安価なことが望まれる。
また、非特許文献２のようにステンレス製の外装容器に入れておくことも、本発明者の実験によると十分な保温時間を確保することが難しかった。
【００１１】
また、特許文献や非特許文献に記載されているものは、当然ながら液体ミルクのような保温対象物を一定の温度に保温しておくためのものではない。従って、特許文献や非特許文献に記載されているものは、保温対象物が収容された収容容器を保温しておくための保温具として考えた場合に、様々な保温対象物に使用できるものではない。
【００１２】
そこで、本発明は、精液や血液のような検体や液体ミルク等、多種の保温対象物に対して、保温対象物が収容された収容容器を保温することのできる保温具、保温具セット及び保温方法を提供することを目的とする。また、本発明は、安価で十分な保温時間を確保することのできる保温具、保温具セット及び保温方法を提供することを目的とする。
【課題を解決するための手段】
【００１３】
本発明の保温具は、保温対象物が収容された収容容器を保温するためのシート状の保温具であって、前記収容容器を入れる袋部と、蓄熱材が充填される蓄熱領域を複数有し、前記袋部を包み込むための蓄熱部と、からなることを特徴とする。
【００１４】
このような本発明の保温具は、蓄熱材が充填される複数の蓄熱領域で蓄熱部が構成されているので、蓄熱領域と蓄熱領域の間で曲げることができ、蓄熱部を変形させることができる。このため、袋部内の収容容器を蓄熱部で包み込んで蓄熱材を密着させることができるので、十分な保温時間を確保することができる。また、構成が簡単であることから安価な保温具となり、使い捨てとして使用することに適している。また、この保温具は、例えば、検体が収容されている収容容器にも、液体ミルクが収容されている収容容器にも使用することができるので、多種の保温対象物について用いることができる。
【００１５】
また、保温具は、前記袋部が、前記蓄熱部と一体に設けられていることが好ましい。蓄熱部と袋部とが一体に設けられているので、簡単で確実に袋部の収容容器を蓄熱部で包み込むことができる。また、袋部に収容容器を入れておくことで、収容容器の紛失や取り違え等が生じ難くなることから、慎重な取り扱いが必要な精液等の検体の保温具として適している。
【００１６】
また、保温具は、前記蓄熱部に、該蓄熱部の温度を確認する温度確認手段が設けられていることが好ましい。温度確認手段が設けられていることから、蓄熱部の温度を確認することができる。温度が確認することができることは、蓄熱部で包み込まれた収容容器の保温温度を使用者が客観的に知ることができるため、大きな安心感を与える。例えば、保温対象物が精液である場合に、蓄熱部の温度が２０〜２５℃の適切な温度に保たれていることが客観的にわかる場合とわからない場合とでは、慎重に搬送している使用者の心理面に大きな影響を与えるものである。また、保温対象物が液体ミルクである場合、蓄熱部の温度が３５〜４５℃の適切な温度に保たれていることが客観的にわかる場合とわからない場合とで、散歩等の外出中に液体ミルクを乳児に与えようとする母親の安心感に対して大きく影響してくる。
【００１７】
また、保温具は、前記袋部が、前記蓄熱部を袋状にして形成されており、前記袋部の形状を保持する保持具を更に備えることが好ましい。蓄熱部を袋状にして袋部を形成するので、様々なサイズや形状の収容容器にも対応することができる。また、蓄熱部を袋状にした際、この袋形状が保持具で保持されているので、収容容器を袋部に入れ易くなる。
【００１８】
また、保温具は、前記袋部の底部に蓄熱領域が位置することが好ましい。このような構成により、袋部の底部にも蓄熱領域に充填された蓄熱材が位置することになるので、袋部の収容容器の底部に蓄熱材が確実に位置し、より一層保温性が高まる。
【００１９】
本発明の保温具セットは、保温対象物を収容する収容容器と、前記収容容器を入れる袋部と蓄熱材が充填される蓄熱領域を複数有するとともに前記袋部が一体に設けられている蓄熱部とからなるシート状の保温具と、からなる。
【００２０】
このような本発明の保温具セットは、蓄熱材が充填される複数の蓄熱領域で蓄熱部が構成されているので、蓄熱領域と蓄熱領域の間で曲げることができ、蓄熱部を変形させることができる。このため、袋部内の収容容器を蓄熱部で包み込んで蓄熱材を密着させることができるので、十分な保温時間を確保することができる。また、構成が簡単であることから安価な保温具となり、使い捨てとして使用することに適している。また、保温具セットは、収容容器も有することから、精液や血液を保温対象物にする場合には非常に便利である。
【００２１】
また、保温具セットは、前記収容容器が、シリンジであることが好ましい。このような保温具セットは、保温対象物をシリンジで採取することができるため、検体の採取、特に精液の採取に適している。
【００２２】
本発明の保温方法は、保温対象物が収容された収容容器を入れる袋部と、蓄熱材が充填される蓄熱領域を複数有し前記袋部を覆う蓄熱部と、からなる保温具を用いて前記収容容器を保温する工程と、前記保温具により保温された前記収容容器を更に外装容器に収納する工程と、からなる。
このような本発明の保温方法は、収容容器内の保温対象物について十分な保温時間を確保することができ、外出する場合に適している。
【図面の簡単な説明】
【００２３】
【図１】第１実施形態に係る保温具セットの平面図である。
【図２】第１実施形態に係る保温具セットの使用方法を示す使用工程図である。
【図３】Ａは第１実施形態に係る保温具セットの試作品を用いた第１の使用状態の写真であり、Ｂは試作品を用いた第２の使用状態の写真である。
【図４】Ａは第１実施形態に係る保温具セットの試作品を用いた第３の使用状態の写真であり、Ｂは試作品を用いた第４の使用状態の写真である。
【図５】Ａは第１実施形態に係る保温具の変形例１の平面図であり、Ｂは保温具の変形例２の平面図である。
【図６】第２実施形態に保温具の使用方法を示す工程概念図である。
【図７】第２実施形態に係る保温具の変形例３の斜視図である。
【発明を実施するための形態】
【００２４】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２５】
［第１実施形態］
図１は、第１実施形態の保温具セット１である。保温具セット１は、自宅で採取した精液をクリニックへ搬送する際の使用を想定したものである。具体的には、保温具セット１は、保温対象物である精液を収容する収容容器としてのシリンジ１０と、シート状の保温具２０と、からなるものである。
【００２６】
このシリンジ１０は、注射針を装着していない注射筒のようなものであり、精液を吸引するための可動式のプランジャが一体となったものである。このようなシリンジ１０としては市販品を用いることができ、例えば、株式会社ジェイ・エム・エスのジェイフィード（登録商標）注入器（JF-SY10VZ）を用いることができる。
【００２７】
保温具２０は、シリンジ１０からなる収容容器を保温するためのものである。そして、保温具２０は、矩形のシート状をしており、蓄熱部２１と、シリンジ１０を入れる袋部２２と、からなる。
【００２８】
蓄熱部２１は、シート状の保温具２０でシリンジ１０を包み込むように簡単に折り曲げることができるよう、蓄熱材２５が充填されている複数の蓄熱領域２６を備えた構成となっている。
【００２９】
この蓄熱部２１は、具体的には、耐熱性、耐薬品性を備える２枚の透明シートを貼り合わせ作成されており、５つの蓄熱領域２６にそれぞれ蓄熱材２５が充填されている。蓄熱領域２６に充填されている蓄熱材２５は、物質の相変化のエネルギーを利用して特定の温度を維持することのできる材料である。本実施形態では、この蓄熱材２６として具体的には、株式会社スギヤマゲンのサーモストレージ２０（サーモストレージ：登録商標）を用いている。
【００３０】
そして、シート状の保温具２０は、具体的には、まず２枚の透明シートをシーラーで熱圧着してコの字状の６つの小部屋を形成する。次に、コの字の開放部から棒状に凝固させておいた蓄熱材２５を５つの小部屋に入れる。そして、シーラーを再度用いて、開放部を熱圧着する。この時、蓄熱材２５が充填された５つの小部屋と、何も入っていない１つの小部屋である袋部２２ができる。そして、何も入っていない袋部２２については、表側の透明シートの一部を切断して、シリンジ１０を入れる（図１の破線で示した）挿入口２２ａを形成することで、保温具２０ができる。このように保温具２０は、袋部２２が蓄熱部２１と一体になってシート状の保温具２０に設けられている。
【００３１】
また、保温具２０は、蓄熱部２１における蓄熱領域２６の温度を確認するための温度確認手段として、シール状の温度表示ラベル２７を有している。本実施形態では、この温度表示ラベル２７として、ミクロン株式会社の室内液晶温度シールを用いている。
【００３２】
なお、蓄熱部２１に設けられる温度確認手段として、本実施形態のような温度表示ラベル２７以外に例えば温度計等、他のものを用いることもできる。しかしながら、保温具２０は蓄熱部２１でシリンジ１０を包み込む必要があることから、フレキシブルな温度表示ラベル２７が好ましく、また、保温具２０は使い捨てできることが好ましいことから、廃棄やコストの面でも、温度表示ラベル２７が好ましい。
【００３３】
また、蓄熱部２１に温度確認手段を設けることは、本実施形態のように保温対象物が精液である場合には非常に好ましい。何故ならば、使用者は精液の搬送に対して非常に不安になっていることから、適切な温度である２０〜２５℃が搬送時に確保できていることが客観的にわかることで、使用者の心理面に大きな安心感を与えることができるためである。
【００３４】
また、温度表示ラベル２７のような温度確認手段を収容容器に直接設けておくことも可能であるが、その場合温度確認のために保温具を外す必要が生じる。従って、本実施形態のような構成であれば収容容器を保温具２０で包み込んだままで温度を確認することができる。
【００３５】
このような構成の本実施形態の保温具セット１の具体的な使用方法について、図を用いている説明する。図２は、保温具セット１の使用方法を示す使用工程図である。最初に述べたように、本実施形態の保温具セット１は、自宅で採取した精液をクリニックへ搬送する際の使用を想定したものである。
【００３６】
そのため、自宅で精液を採取する場合には、事前にクリニックから保温具セット１を受ける等して、まず保温具セットを準備する（ステップ１）。なお、図３（Ａ）には第１の使用状態として、この準備した保温具セット１の試作品の写真を示している。図１を用いて説明したように、保温具セット１は、精液を収容するシリンジ１０と、保温具２０と、からなる。また、保温具２０は、蓄熱材２５が充填されている複数の蓄熱領域２６を備えた蓄熱部２１と、この蓄熱部２１と一体に設けられた袋部２２袋部２２と、からなる。また、保温具２０の蓄熱部２１には温度確認手段としての温度表示ラベル２７が、貼り付けられている。
【００３７】
次に、保温具２０の温度調整を行う（ステップ２）。具体的には、温度表示ラベル２７で蓄熱部２１の温度を確認する。そして、例えば、温度表示ラベル２７の温度が２０℃以下を示している場合には、保温具２０をぬるま湯で蓄熱材２５が透明になるまで湯煎により温める。また、温度表示ラベル２７の温度が２０〜２５℃であれば、精液の搬送に適した温度環境なので、そのまま保温具２０を使用する。また、温度表示ラベル２７の温度が２５℃以上であれば、保温具２０を冷蔵庫で蓄熱材２５が白濁に凝固する程度まで（だいたい３０〜４０分程度）冷やし、温度表示ラベルの温度が２０〜２５℃となるようにする。
【００３８】
次に、精液の採取を行う（ステップ３）。精液の採取は、まず別途用意した容量１２０ｍｌ程度の滅菌容器に精液を放出することにより行う。なお、この別途用意する滅菌容器についても、保温具セット１の構成としても構わない。
【００３９】
次に、シリンジ１０で滅菌容器内の精液を回収する（ステップ４）。なお、シリンジ１０は、通常密閉された袋に入っているので、使用の際にはこの袋を開封して取り出す必要がある。また、この時、精液の管理・確認を行うために、例えば、男女氏名を記入したり、バードコードや管理番号が記載されている管理用ラベルをシリンジ１０の側面に貼り付けたりすることができる。そして、使用者は、このシリンジ１０で精液を回収し、余分な空気を抜いてキャップを先端に装着する。
【００４０】
次に、シリンジ１０を挿入口２２ａから保温具２０の袋部２２に入れる（ステップ５）。なお、図３（Ｂ）には第２の使用状態として、保温具２０の袋部２２にシリンジ１０が入れられている写真を示している。また、本実施形態においては、袋部２２が蓄熱部２１と一体に設けられている構成となっているため、この袋部２２にシリンジ１０を入れてしまえば、シリンジ１０の紛失や取り違え等が非常に生じ難くなる。
【００４１】
次に、袋部２２のシリンジ１０を保温具２０で包み込む（ステップ６）。なお、図４（Ａ）には第３の使用状態として、袋部２２のシリンジ１０が保温具２０で巻かれて、保温具２０の裏側に位置している写真を示している。また、図４（Ｂ）には第４の使用状態として、このようにしてシリンジ１０が巻かれることで、保温具２０の蓄熱部２１によって袋部２２ごと包み込まれた写真を示している。
【００４２】
このように、袋部２２のシリンジ１０は、保温具２０の蓄熱部２１に密着して包み込まれるため、保温対象である精液の保温時間を十分に確保することできる。また、保温具２０の蓄熱部２１は、蓄熱材２５が充填された複数の蓄熱領域２６で構成されていることから、シリンジ１０の形状に沿って柔軟に蓄熱部２１を曲げることができ、袋部２２内のシリンジ１０と蓄熱材２５との十分な接触面積を確保することができる。
【００４３】
また、本実施形態の保温具セット１では、保温具２０の袋部２２が蓄熱部２１と一体に設けられている。従って、蓄熱部２１と袋部２２とが別体で設けられている場合に比べ、袋部２２に入れたシリンジ１０を、簡単で確実に蓄熱部２１で包み込むことができる。
なお、ステップ６のように、シリンジ１０を保温具２０で包み込んだものを、その状態を確保しておくために、輪ゴム等で止めておいても構わない。
【００４４】
次に、本実施形態においては、保温具２０で包み込まれたシリンジ１０を、更に保温バッグからなる第１外装容器（図示せず）に収納する（ステップ７）。保温具セット１からなる保温具２０で包み込まれたシリンジ１０は、細長い筒状なので、自宅にあるような保温バッグであれば収納することができる。従って、自宅からクリニックまでの搬送中の持ち運びやすさや、一層の保温時間の確保のために、保温バッグに収納することが好ましい。なお、保温バッグとしては、５００ｍｌ程度のペットボトルが入る大きさで十分であることから、専用の保温バッグとして、保温具セット１の構成としても構わない。
【００４５】
また次に、本実施形態においては、保温バッグからなる第１外装容器に収納された保温具２０を、更に携帯用魔法瓶からなる第２外装容器（図示せず）に収納する（ステップ８）。保温具セット１であれば、先にも述べたように大きなものではないので、自宅からクリニックまでの一層の保温時間の確保のために、携帯用魔法瓶に収納することが好ましい。携帯用魔法瓶であれば、最近であれば自宅に置いてあることも多いことから、比較的簡単に準備することができ、簡単に長時間の保温時間を確保することができる。この携帯用魔法瓶としては、５００ｍｌ程度のもので十分ある。
そして、使用者は、保温具セット１をステップ１〜８のように使用し、自宅からクリニックまでの搬送を開始する（終了）。
【００４６】
なお、本発明者の検証によると、ステップ８までの保温方法によることで、２時間以上の十分な保温時間を確保することができる。従って、自宅からクリニックまでの搬送時間が２時間程度であれば、ステップ７までの保温方法でも構わない。
【００４７】
また、本発明者は、ステップ６までの保温方法によるものと、非特許文献２のものとを冬場の搬送を想定し、２５℃（室温）から４℃の冷蔵庫に入れて、温度の低下について小型温度記録装置を用いて比較検証した。その結果、ステップ６までの本発明より保温したものは、２時間でも−１℃の低下であったの対して、非特許文献２のものは、１時間弱程度で精子に悪影響を及ぼす１５℃以下に低下していた。なお、従来臨床で用いられている非特許文献１のようなプラスチックケースでは、８分程度で１５℃以下に低下していた。
【００４８】
その他、本発明者は、ステップ１〜６とステップ８による保温方法（ステップ７を除いた工程）での検証を行った。具体的には、夏場の搬送を想定して、まず、ステップ２で保温具２０を冷蔵庫で４０分程度放置し、次に３７℃のインキュベーターへ入れて温度の計測を行ったところ、５時間程度経過しても当初の２３．５℃からほとんど温度が変化しなかった。また、反対に冬場の搬送を想定して、２５℃から４℃の冷蔵庫に入れて温度の計測を行ったところ、こちらも７時間程度経過しても２５℃からほとんど温度が変化しなかった。
【００４９】
以上のような検証から本実施形態の保温具セット１によれば、搬送時の保温時間を考量して、ステップ１〜６までの保温方法や、ステップ１〜６とステップ７或はステップ８の組合せのように、様々なバリエーションを採用して、簡単に保温対象物の保温時間を確保することができる。
【００５０】
［変形例１］
次に、本実施形態における保温具セット１を構成する保温具２０の変形例１について図５（Ａ）を用いて説明する。なお、保温具２０と同様の構成については、同じ符号を用いるとともに、説明を適宜省略する。保温具２０は、図１に示すように蓄熱部２１が５つの蓄熱領域２６で形成されていた。
【００５１】
一方、変形例１の保温具２０Ａは、複数の蓄熱領域２６Ａが格子状に形成されている。具体的には、縦方向に４つ、横方向に５つの蓄熱領域２６Ａが形成されている。このような保温具２０Ａによれば、蓄熱領域２６Ａと蓄熱領域２６Ａとの間でより一層曲げ易くなるため、保温具２０Ａにおいて蓄熱部２１Ａを自在に変形することができ、袋部２２内のシリンジ１０に蓄熱材２５Ａを密着させることができる。従って、保温具２０Ａは、本実施形態のようなシリンジ１０とは異なる収容容器に対しても容易に対応可能であり、例えば、非特許文献１のようなプラスチック製の容器に用いることもできる。
【００５２】
［変形例２］
次に、保温具２０の変形例２について図５（Ｂ）を用いて説明する。変形例２の保温具２０Ｂは、気泡緩衝材のように丸形状の複数の蓄熱領域２６Ｂが形成されている。このような保温具２０Ｂによっても、より一層曲げ易くなるため、袋部２２内のシリンジ１０に蓄熱材２５Ｂを密着させることができる。なお、変形例２のような保温具２０Ｂは、様々な形状に変形させ易いので、袋部２２と蓄熱部２５Ｂとが別体のような場合や、収容容器がシリンジ１０とは異なるような場合（例えば、プラスチック製の円筒容器）のような場合にも適している。
【００５３】
以上のように、本実施形態の保温具２０は、シリンジ１０を保温するためのシート状の保温具２０であって、シリンジ１０を入れる袋部２２と、蓄熱材２５が充填される蓄熱領域２６を複数有し、袋部２２を包み込むための蓄熱部２１と、からなるものである。そして、蓄熱材２５が充填される複数の蓄熱領域２６で蓄熱部が構成されているので、蓄熱領域２６と蓄熱領域２６の間で簡単に曲げることができ、蓄熱部２１を変形させることができる。このため、袋部２２内のシリンジ１０を蓄熱部２１で包み込んで蓄熱材２５を密着させることができるので、十分な保温時間を確保することができる。また、構成が簡単であることから安価な保温具２０となり、使い捨てとして使用することに適している。
【００５４】
なお、本実施形態において、保温具２０の袋部２２は蓄熱部２１と一体に設けられている構成であってが、袋部２２が蓄熱部２１と別体で構成された形態を採用することも可能である。しかしながら、精液等の検体を保温対象物とする場合には、紛失や取り違え等のおそれをできるだけ低減する上では、本実施形態のような袋部２２と蓄熱部２１とが一体に設けられている構成が好ましい。
【００５５】
また、本実施形態の保温具セット１は、保温具２０と共に収容容器であるシリンジ１０がセットになっているので、上記のような精液や血液等の検体を保温対象物にする場合には非常に便利であり、特にシリンジ１０を用いることは、精液の保温に適している。
【００５６】
なお、本実施形態においては、保温対象物として精液を例に説明したが、精液以外の保温対象物であっても保温具セット１は使用可能である。また、例えば、人間の精液であれば、２０〜２５℃が搬送の際の適温であったが、豚の精液であれば１５〜２０℃が適温であり、哺乳類培養細胞の搬送であれば３５〜３７℃が適温となる。
【００５７】
また、本実施形態の保温方法は、シリンジ１０を入れる袋部２２と、蓄熱材２５が充填される蓄熱領域２６を複数有して袋部２２を覆う蓄熱部２１と、からなる保温具２０を用いて保温する工程と、保温具２０により保温されたシリンジ１０を更に第１外装容器や第２外装容器に収納する工程と、からなる。このため、保温対象物である精液について十分な保温時間を確保することができ、クリニックまでの搬送に非常に適している。
【００５８】
［第２実施形態］
次に、第２実施形態の保温具４０について図６を用いて説明する。図６は保温具４０の使用方法を示す工程概念図である。実施形態１は、保温対象物を収容する収容容器（シリンジ１０）と、保温具２０とがセットになっていた保温具セット１であったが、本実施形態は保温具４０のみで構成されている。
【００５９】
本実施形態は、保温具４０を用いる保温対象物として、液体ミルクを用いた具体例について説明する。なお、保温対象物である液体ミルクは、日本においては将来的に販売が予定されているものであり、液体ミルクそのものは専用の容器（収容容器）に入れられて販売されることになる。収容容器の形状としては、一般的な哺乳瓶のように円筒状や、四角いパック状等、様々な形状が想定される。
【００６０】
このように市販される液体ミルクを保温対象物として、保温具４０は使用される。図６（Ａ）は、市販されている液体ミルクＭと、保温具４０である。液体ミルクＭを保温したい時には、液体ミルクＭと共に保温具４０を準備する。なお、この時の液体ミルクＭは、常温で保管されていれば常温であり、冷蔵庫等で保管されていれば低温となっている。
【００６１】
保温具４０は、矩形のシート状をしており、液体ミルクＭを保温するためのものである。そして、保温具４０は、蓄熱部４１と、液体ミルクＭを入れる袋部４２と、からなる。より具体的には、蓄熱部４１は、蓄熱材４５が充填されている複数の蓄熱領域４６を備えた構成となっている。従って、シート状の保温具４０は、図６（Ｂ）に示すように液体ミルクを包み込むような形状に簡単に折り曲げることができる。そして、本実施形態においては、袋部４２は、図６（Ｂ）に示すように、蓄熱部４１を袋状にして形成されている。保温具４０は、蓄熱部４１を備えた袋状となっている。
【００６２】
また、保温具４０は、このような袋状に形成された蓄熱部４１（袋部４２）の形状を保持する保持具５０を更に備えて構成されている。この保持具５０としては、袋状の蓄熱部４１の形状を保持しておく道具であればよく、例えば、液体ミルクＭの形状にあわせて円形の輪や四角い輪でもよく、輪ゴムのような物でもよく、またクリップのようなものや、型枠のようなものでも構わない。
【００６３】
そして、蓄熱部４１で形成した袋部４２に液体ミルクＭを入れる。この時、蓄熱部４１が袋部４２の底部４２ｂに蓄熱領域４６を備える形状としておくことで、液体ミルクＭの保温性をより一層高めることができる。なお、この時に保温具４０は、後述するヒーターＨの中に事前に入れておき、温めておくことが望ましい。
【００６４】
そして、常温或は低温の液体ミルクＭが収容された保温具４０を、図６（Ｃ）に示すように、ヒーターＨに入れて、このヒーターＨを用いて液体ミルクＭとしての適温（４０〜４５℃）に温める。
【００６５】
加熱に用いるヒーターＨは、市販品の調理器具を用いることができ、例えば、一定温度を保ってヨーグルトを作る調理器として市販されているものを用いることもできる。また、このような市販品でなくとも液体ミルクＭを加熱するための専用の器具であっても構わない。また、適温に温めることができればよいので、図６（Ｃ）のような加熱のためのヒーターＨを用いなくとも、湯煎により液体ミルクＭを温めても構わない。なお、専用のヒーターＨであれば、図６（Ｃ）のように液体ミルクＭを一つだけ温めるような構造よりも、例えば３つ等、複数の液体ミルクＭを一度に温められるような装置であることが好ましい。
【００６６】
そして、液体ミルクＭは、蓄熱部４１で形成された袋部４２の中で加熱されるため、加熱を止めた後であっても、長時間保温しておくことができる。また、ヒーターＨの電源を止めても温度維持ができるので、保温具４０を用いない場合に比べて節電にもなる。また、事前に温めておいた保温具４０に液体ミルクＭを入れて加熱することで、液体ミルクＭが蓄熱部４１の蓄熱材４５とも密着することになり、保温具４０は液体ミルクＭを迅速に温めることができる。そして更に、袋部４２の底部４２ｂに蓄熱領域４６が位置することで、保温具４０は、より早く液体ミルクＭを温めることができる。
【００６７】
また、散歩等、外出する場合であれば、保温具４０ごと液体ミルクＭをヒーターＨから取り出し、図６（Ｄ）に示すように外装容器６０にそのまま入れて持ち歩くことで、保温具４０に保温されている液体ミルクＭは、長時間適温に維持される。このような外装容器６０としては、第１実施形態の第１外装容器や第２外装容器のような、保温バッグや携帯用魔法瓶を用いることができる。また、保温具４０で保温された液体ミルク専用の外装容器６０であっても構わない。
【００６８】
このように本実施形態の保温具４０は、液体ミルクＭ（収容容器）を保温するためのシート状の保温具４０であって、液体ミルクＭを入れる袋部４２と、蓄熱材４５が充填される蓄熱領域４６を複数有し、袋部４２を包み込むための蓄熱部４１と、からなるものである。そして、蓄熱材４５が充填される複数の蓄熱領域４６で蓄熱部４１が構成されているので、蓄熱領域４６と蓄熱領域４６の間で簡単に曲げることができ、蓄熱部４１を変形させることができる。このため、袋部４２内の液体ミルクＭを蓄熱部４１で包み込んで蓄熱材４５を密着させることができるので、十分な保温時間を確保することができる。
【００６９】
また、保温具４０は、袋部４２が、蓄熱部４１を袋状にして形成されており、袋部４２の形状を保持する保持具５０を更に備える構成となっている。従って、保温具４０は、様々なサイズや形状の液体ミルクＭであって、対応することができる。また、保温具４０は、保持具５０によって袋部４２の形状を保持するので、液体ミルクＭを袋部４２に入れ易くなっている。
【００７０】
［変形例３］
次に、本実施形態における保温具４０の変形例３について図７の斜視図を用いて説明する。なお、保温具４０と同様の構成については、説明を適宜省略する。第２実施形態における保温具４０は、図６に示すようにシート状のものであり、液体ミルクＭを入れておく袋部４２が蓄熱部４１を袋状にして形成されていた。
【００７１】
一方、変形例３の保温具４０Ａは、蓄熱部４１Ａを最初から袋状に形成して袋部４２Ａとして構成されている。具体的には、上面が開放した四角柱状の箱からなる袋部４２Ａとして蓄熱部４１Ａが形成されている。また、この袋部４２Ａの底部４２ｂには、図示していないが、蓄熱材４５Ａが充填された蓄熱領域４６Ａが設けられている。つまり、袋状の保温具４０Ａは、蓄熱部４１Ａを備える構成となっている。
このような構成であれば、液体ミルクＭを簡単に袋部４２Ａに入れてることができ、また蓄熱領域４６Ａで液体ミルクＭを確実に包み込むことができる。
【００７２】
また、第２実施形態のような保持具５０も不要となる。また、このように蓄熱部４１Ａを袋状とした袋部４２Ａからなる保温具４０Ａは、第２実施形態における液体ミルクＭのような収容容器が大きなサイズのものには適しており、収容容器の形状が統一されているのであれば、第２実施形態のようなシート状の保温具４０よりも、収容容器の形状にあわせた専用形状とした保温具４０Ａとすることが好ましい。
【００７３】
また、変形例３のような保温具４０Ａは、第２実施形態における外装容器６０に入れて持ち歩くよう場合には、外装容器６０に入れ易くなる。従って、保温具４０Ａにより保温された液体ミルクＭのような収容容器を更に外装容器６０に収納する工程を備える保温方法を採用する場合には、変形例３の保温具４０の構成が特に適している。
【符号の説明】
【００７４】
１：保温具セット
１０：シリンジ（収容容器）
２０、４０：保温具
２１、４１：蓄熱部
２２、４２：袋部
２２ａ：挿入口
２５、４５：蓄熱材
２６、４６：蓄熱領域
２７：温度表示ラベル
【図１】
2020132208.tif 000003
【図２】
2020132208.tif 000004
【図３】
2020132208.tif 000005
【図４】
2020132208.tif 000006
【図５】
2020132208.tif 000007
【図６】
2020132208.tif 000008
【図７】
2020132208.tif 000009